(57)【要約】      （修正有）【課題】ヘアーアイロンによる頭髪に対するアイロンがけの効果を、簡素な構成をもって効果的に向上させる。【解決手段】ヘアーアイロンＡ用の補助シートで、紙製のシートであって、ヘアーアイロンＡにおける頭髪Ｈを挟み込む一対の挟持体Ａａ、Ａａの一方の頭髪Ｈの挟み込み面Ａｂを、紙の繊維方向ｚを挟持体Ａａの移動方向に対し交叉させるようにして覆って、この挟持体Ａａの一方に取り付けられるようになることで、頭髪Ｈは摩擦の大きい補助シートとの接点側を軸として回転し、頭髪Ｈの形状を一定に整える。【選択図】図２
2010099225.tif 000002
【特許請求の範囲】
【請求項１】
紙製のシートであって、ヘアーアイロンにおける頭髪を挟み込む一対の挟持体の一方の頭髪の挟み込み面を、紙の繊維方向を挟持体の移動方向に対し交叉させるようにして覆って、この挟持体の一方に取り付けられるようになっていることを特徴とするヘアーアイロン用補助シート。
【請求項２】
紙の繊維方向に沿った一辺部に接着部が形成されていると共に、この接着部がその余の箇所より厚く構成されていることを特徴とする請求項１に記載のヘアーアイロン用補助シート。
【請求項３】
接着部の接着面が剥離シートにより覆われていることを特徴とする請求項２に記載のヘアーアイロン用補助シート。
【発明の詳細な説明】
【技術分野】
【０００１】
この発明は、ヘアーアイロンに備えさせることで、頭髪に対するアイロンがけの効果を高めることができる、補助シートに関する。
【背景技術】
【０００２】
ヘアーアイロンは頭髪を挟み込む一対の挟持体を備えている。この挟持体の少なくとも一方は内蔵されたヒーターにより加熱されるようになっており、挟み込んだ頭髪の長さ方向に挟持体を移動させることでこの頭髪をストレートにしたり、あるいは挟持体に挟み込んだ後これに頭髪を巻き付けることでこの頭髪にカールを付与するようになっている。
【０００３】
しかるに、かかるヘアーアイロンの挟持体における頭髪の挟み込み面は一般に金属やセラミックにより形成されており、頭髪に対する摩擦抵抗は高くない。このため、頭髪の毛先側では一対の挟持体間での頭髪の位置が一定せず、このために頭髪の毛先側には思うような形状を付与し難いところであった。
【０００４】
また、縮毛矯正や傷んだ頭髪を修復するために頭髪にアイロンがけをする場合には、頭髪に過度に熱を付与させることなく、この頭髪にアイロンがけをする過程でこの頭髪を効果的に矯正できるようにすることが望まれるところである。
【発明の開示】
【発明が解決しようとする課題】
【０００５】
この発明が解決しようとする主たる問題点は、ヘアーアイロンによる頭髪に対するアイロンがけの効果を、簡素な構成をもって効果的に向上させる点にある。
【課題を解決するための手段】
【０００６】
前記課題を達成するために、この発明にあっては、ヘアーアイロン用補助シートを、紙製のシートであって、ヘアーアイロンにおける頭髪を挟み込む一対の挟持体の一方の頭髪の挟み込み面を、紙の繊維方向を挟持体の移動方向に対し交叉させるようにして覆って、この挟持体の一方に取り付けられるようになっているものとした。
【０００７】
頭髪はその長さ方向に直交する向きの断面外郭形状を真円とはしないので、一対の挟持体の一方の頭髪の挟み込み面を補助シートで覆った状態でアイロンがけを行うと頭髪は摩擦の大きいこの補助シートとの接点側を軸として回転される。これにより頭髪の形状をその毛先に至るまで一定に整えることができる。
【０００８】
また、還元剤と酸化剤とを用いてなす縮毛矯正などにあっては、その工程において頭髪の水分量が少なくなり過ぎると頭髪にダメージが生じ、また、これが多すぎると酸化剤の反応が悪くなり、頭髪に付与した形状の持続性が損なわれるところ、前記補助シートを利用したアイロンがけによれば、紙の凹凸により頭髪に含まれている水分を蒸発させやすく、頭髪に過度の熱を与えることなく頭髪の水分量を一定量まで減らすことができる。
【発明の効果】
【０００９】
この発明にかかる補助シートは、ヘアーアイロンを構成する一対の挟持体の一方にその頭髪の挟み込み面を覆うように備えさせることで、このヘアーアイロンによる頭髪に対するアイロンがけの効果を効果的に向上させる。
【発明を実施するための最良の形態】
【００１０】
以下、図１〜図３に基づいて、この発明の典型的な実施の形態について説明する。なお、ここで図１は実施の形態にかかる補助シートＳの全体構成を、図２はヘアーアイロンＡを構成する頭髪Ｈの一対の挟持体Ａａ、Ａａの一方に補助シートＳを備えさせた状態を、図３はこのように補助シートＳを備えさせた状態において一対の挟持体Ａａ、Ａａにより挟み付けた頭髪Ｈの長さ方向Ｈａにこの挟持体Ａａを移動させた場合に生じる頭髪Ｈの捻転動作の様子を理解しやすいように示したものである。
【００１１】
この実施の形態にかかる補助シートＳは、ヘアーアイロンＡを構成する一対の挟持体Ａａ、Ａａの一方にその頭髪Ｈの挟み込み面Ａｂを覆うように備えさせることで、このヘアーアイロンＡによる頭髪Ｈに対するアイロンがけの効果を効果的に向上させるものである。
【００１２】
この実施の形態にあっては、かかる補助シートＳは、紙製のシート１を主体として構成されている。かかる補助シートＳは、典型的には、図１に示されるように、ヘアーアイロンＡにおける頭髪Ｈの挟み込み面Ａｂを覆う幅ｘを持ち、かつ一定の長さｙを備えるように構成される。そして、ヘアーアイロンＡにおける頭髪Ｈを挟み込む一対の挟持体Ａａ、Ａａの一方の頭髪Ｈの挟み込み面Ａｂを、紙の繊維方向ｚを挟持体Ａａの移動方向に対し交叉させるようにして覆って、この挟持体Ａａの一方に取り付けられるように構成される。挟持体Ａａの移動方向は頭髪Ｈの長さ方向Ｈａであり、毛先の癖をとる場合や縮毛矯正の場合には頭髪Ｈの根元側から毛先側に向けて挟持体Ａａは移動される。挟持体Ａａの移動方向に対して補助シートＳの繊維方向ｚは直角か、この直角を挟んだ前後１０度の範囲で交叉するようにしておくことが最適である。このような紙製のシート１としては、典型的には、クラフト紙にポリエチレンのラミネート加工を施してなるポリラミ紙などを用いることができる。図１に示される例では、補助シートＳはその幅ｘ方向に前記繊維方向ｚを沿わせるようにして構成されていると共に、この幅ｘ方向をヘアーアイロンＡの挟持体Ａａの長さ方向Ａｃに沿わせる向きでこの挟持体Ａａに巻き付けることで、この挟持体Ａａの挟み込み面Ａｂを覆うように構成されている。図中符号Ａａで示されるのが挟持体であり、その内部には図示を省略するヒーターが収められる。図示の例では、かかるヘアーアイロンＡはストレートパーマ用のヘアーアイロンＡであり、一対の挟持体Ａａ、Ａａの頭髪Ｈの挟み込み面Ａｂは、平坦面として構成されており、一対の挟持体Ａａ、Ａａの一方の挟み込み面Ａｂと他方の挟み込み面Ａｂとは平行をなすように構成されている。補助シートＳは、かかる一対の挟持体Ａａ、Ａａの一方にのみ取り付けられ、その一部によって、かかる一対の挟持体Ａａ、Ａａの一方の挟み込み面Ａｂを前記のように覆う。
【００１３】
頭髪Ｈはその長さ方向に直交する向きの断面外郭形状を真円とはしないので、前記のように一対の挟持体Ａａ、Ａａの一方の頭髪Ｈの挟み込み面Ａｂを補助シートＳで覆った状態でアイロンがけを行うと、頭髪Ｈは摩擦の大きいこの補助シートＳとの接点Ｐ側を軸とし、挟持体Ａａの他方の挟み込み面Ａｂとの接点Ｐ’側では滑りを生じて、回転される。（頭髪Ｈが図３の（ａ）の状態にある場合、アイロンがけにより頭髪Ｈは図３の（ｂ）の状態となる。）これにより頭髪Ｈの形状を一定に整えることができる。
【００１４】
また、頭髪Ｈの水分量が少なくなり過ぎると頭髪Ｈにダメージが生じ、また、これが多すぎると酸化剤の反応が悪くなり、頭髪Ｈに付与した形状の持続性が損なわれるところ、前記補助シートＳを利用したアイロンがけによれば、紙の凹凸により頭髪Ｈに含まれている水分を蒸発させやすく、頭髪Ｈに過度の熱を与えることなく頭髪Ｈの水分量を一定量まで減らすことができる。
【００１５】
また、この実施の形態にあっては、かかる補助シートＳには、その紙の繊維方向ｚに沿った一辺部にこの一辺部に亘って接着部２が形成されている。それと共に、この接着部２がその余の箇所より厚く構成されている。
【００１６】
具体的には、図示の例にあっては、前記の幅ｘと長さｙとを備えた紙製のシート１の一辺部に、この紙製のシート１の幅と等しい長さを備えた帯状の厚紙２ａを備えさせている。図示の例では、この厚紙２ａの一面と紙製のシート１の一辺部の一面とを接着させている。そして、図示の例では、この厚紙２ａの他面に接着剤により接着面２ｂが形成されている。
【００１７】
これにより、この実施の形態にあっては、ヘアーアイロンＡの挟持体Ａａの頭髪Ｈの挟み込み面Ａｂと反対の背側Ａｄに接着部２をその接着面２ｂをこの背側Ａｄに向けないようにして位置づけさせた状態から、この挟持体Ａａに補助シートＳを掛け回し、回されて背側Ａｄに引き出された部分を接着面２ｂに接着させることで、挟持体Ａａに隙間少なく補助シートＳを巻き付けて、その頭髪Ｈの挟み込み面Ａｂを覆うことができる。補助シートＳにおける接着部２から先に余った部分はカッティングする。接着部２は補助シートＳのその余の箇所より厚く構成されていることから、この接着部２は挟持体Ａａの背側Ａｄと頭髪Ｈの挟み込み面Ａｂとの間の稜部Ａｅを乗り越え難く、挟持体Ａａを中心として補助シートＳが回転してこの接着部２を頭髪Ｈの挟み込み面Ａｂ側に回り込ませてしまうことはない。
【００１８】
また、この実施の形態にあっては、前記接着部２の接着面２ｂは剥離シート２ｃにより覆われており、ヘアーアイロンＡの挟持部への備え付けが必要なときにこの剥離シート２ｃを剥がして利用するようになっている。
【００１９】
なお、図示の例ではストレートパーマ用のヘアーアイロンＡに補助シートＳを用いた例を示しているが、かかる補助シートＳはカール用のヘアーアイロンに用いることもできる。
【図面の簡単な説明】
【００２０】
【図１】補助シートＳの斜視構成図
【図２】同使用状態を示した斜視構成図
【図３】頭髪Ｈの捻転の様子を示した断面構成図
【符号の説明】
【００２１】
Ｈ  頭髪
Ａ  ヘアーアイロン
Ａａ  挟持体
Ａｂ  挟み込み面
Ｓ  補助シート
１  紙製のシート
ｚ  繊維方向
【図１】
2010099225.tif 000003
【図２】
2010099225.tif 000004
【図３】
2010099225.tif 000005